(57)【要約】【課題】撮影済みの映像情報を容易に確認できるとともに、表示領域を最大限に利用することができる撮像装置を提供する。【解決手段】撮像装置１００は、撮影に基づく映像信号を出力する撮像部１と、入力する映像信号に基づいて映像を表示する表示部３と、撮像部１が出力した映像信号を記録した映像情報と、映像情報に関連づけられたサムネイルとを格納する記憶部７と、撮像部１が出力する映像信号に基づいて映像を表示部３に表示させ、撮影待機状態のまま第１の時間が経過すると、サムネイルを撮像部１が出力する映像信号に基づく映像とともに表示部３に表示させる制御部５とを有する。【選択図】図２
2010028713.tif 000002
【特許請求の範囲】
【請求項１】
撮影に基づく映像信号を出力する撮像部と、
入力する映像信号に基づいて映像を表示する表示部と、
前記撮像部が出力した映像信号を記録した映像情報と、前記映像情報に関連づけられたサムネイルとを格納する記憶部と、
前記撮像部が出力する映像信号に基づいて映像を前記表示部に表示させ、撮影待機状態のまま第１の時間が経過すると、前記サムネイルを前記撮像部が出力する映像信号に基づく映像とともに前記表示部に表示させる制御部とを有することを特徴とする撮像装置。
【請求項２】
前記制御部は、前記サムネイルを前記表示部に表示させてから第２の時間が経過すると、前記サムネイルを前記表示部に表示させることを終了することを特徴とする請求項１に記載の撮像装置。
【請求項３】
前記制御部は、前記サムネイルが選択操作されると、前記サムネイルに関連づけられた前記映像情報を前記選択操作の内容に基づいて処理することを特徴とする請求項１に記載の撮像装置。
【請求項４】
前記制御部は、前記映像情報を再生処理することを特徴とする請求項３に記載の撮像装置。
【請求項５】
前記制御部は、前記サムネイルの選択操作以外の操作がなされると、前記サムネイルを前記表示部に表示させることを終了することを特徴とする請求項１に記載の撮像装置。
【請求項６】
前記制御部は、前記映像情報のうち、直前に記録された映像情報を取得して前記表示部に表示させることを特徴とする請求項１に記載の撮像装置。
【請求項７】
前記表示部は、表示画面上にタッチパネルを備え、
前記制御部は、前記タッチパネルに対する入力操作に基づいて前記サムネイルに対する選択操作を判断することを特徴とする請求項３に記載の撮像装置。
【請求項８】
前記制御部は、前記サムネイルを前記撮像部が出力する映像信号に基づく映像上に重ねて前記表示部に表示させることを特徴とする請求項１に記載の撮像装置。
【請求項９】
前記制御部は、前記サムネイルを半透明表示することを特徴とする請求項８に記載の撮像装置。
【発明の詳細な説明】
【技術分野】
【０００１】
本発明は、撮像装置に関する。
【背景技術】
【０００２】
従来、直前に撮影した映像をサムネイル表示する撮像装置が知られている（例えば、特許文献１参照）。
【０００３】
この撮像装置は、レンズや撮像素子からなる撮像部と、ＬＣＤ（Ｌｉｑｕｉｄ  Ｃｒｙｓｔａｌ  Ｄｉｓｐｌａｙ）等を用いたモニター用の表示部とを有し、表示部の部分領域に撮像部によって撮影中の映像を表示し、その他の領域に直前に撮影した映像情報を映像情報から抽出された静止画から生成されたサムネイルに変換して表示するため、これまでの撮影履歴を確認しつつ、現在の撮影を実行することができ、撮影履歴を現在の撮影の内容決定のための判断材料として利用することができる。また、撮影待機中は、複数のサムネイルの中から一つのサムネイルが選択されると、選択されたサムネイルに該当する映像情報を部分領域において再生するため、撮影済みの映像情報の確認を容易に行うことができる。
【特許文献１】特開平１０−２８２５０号公報
【発明の開示】
【発明が解決しようとする課題】
【０００４】
しかし、従来の撮像装置によると、常にサムネイルを表示しているため、撮影中の映像を表示する表示部内の表示領域が小さくなるという問題がある。また、サムネイルの表示、又は非表示を切り替えることで表示領域の問題は回避できるが、切り替えを実行するための操作が必要となり、撮影済みの映像情報の確認動作が煩雑となる。
【０００５】
従って、本発明の目的は、撮影済みの映像情報を容易に確認できるとともに、表示領域を最大限に利用することができる撮像装置を提供することにある。
【課題を解決するための手段】
【０００６】
（１）本発明は上記目的を達成するため、撮影に基づく映像信号を出力する撮像部と、入力する映像信号に基づいて映像を表示する表示部と、前記撮像部が出力した映像信号を記録した映像情報と、前記映像情報に関連づけられたサムネイルとを格納する記憶部と、前記撮像部が出力する映像信号に基づいて映像を前記表示部に表示させ、撮影待機状態のまま第１の時間が経過すると、前記サムネイルを前記撮像部が出力する映像信号に基づく映像とともに前記表示部に表示させる制御部とを有することを特徴とする撮像装置を提供する。
【０００７】
上記した構成によれば、サムネイルを撮影に基づいた映像とともに表示するとともに、サムネイルが映像情報にアクセスするように関連づけられているため、撮影済みの映像情報を容易に確認できる。また、撮影待機状態から第１の時間が経過するまではサムネイルを表示しないため、サムネイルの表示、又は非表示の切り替え操作を行うことなく、表示部の表示領域を最大限に利用することができる。
【発明の効果】
【０００８】
本発明によれば、撮影済みの映像情報を容易に確認できるとともに、表示領域を最大限に利用することができる。
【発明を実施するための最良の形態】
【０００９】
以下に、本発明の撮像装置の実施の形態を、図面を参照して詳細に説明する。
【００１０】
（撮像装置の構成）
図１は、本発明の実施の形態に係る撮像装置の外観を示す概略図である。
【００１１】
この撮像装置１００は、ＣＰＵ（Ｃｅｎｔｒａｌ  Ｐｒｏｃｅｓｓｉｎｇ  Ｕｎｉｔ）やメモリ、ＨＤＤ（Ｈａｒｄ  Ｄｉｓｃ  Ｄｒｉｖｅ）等の電子部品を格納する本体１００Ａと、撮影内容を表示するモニタ部１００Ｂとから構成される。本体１００Ａは、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子とレンズ群とレンズ駆動系とからなる撮像部１と、電源ボタンや撮影開始ボタン、ズームボタン等からなる操作スイッチ４Ａとを有する。モニタ部１００Ｂは、ＬＣＤや有機ＥＬ（Ｅｌｅｃｔｒｏ−Ｌｕｍｉｎｅｓｃｅｎｃｅ）等を用いた表示部３と、表示部３の表示画面上に設けられた透明のタッチパネル４Ｂとを有する。
【００１２】
また、撮像装置１００は、本体１００ＡにＰＣ（Ｐｅｒｓｏｎａｌ  Ｃｏｍｐｕｔｅｒ）等と接続するための図示しないＵＳＢ（Ｕｎｉｖｅｒｓａｌ  Ｓｅｒｉａｌ  Ｂｕｓ）ポートや充電用の電源端子等を備え、本体１００Ａの内部には充電可能な電池を備える。
【００１３】
図２は、本発明の実施の形態に係る撮像装置の構成を示すブロック図である。
【００１４】
撮像装置１００は、撮影した結果を映像信号として出力する撮像部１と、撮像部１から入力する映像信号をＭＰＥＧ（Ｍｏｖｉｎｇ  Ｐｉｃｔｕｒｅ  Ｅｘｐｅｒｔｓ  Ｇｒｏｕｐ）等の規格に基づいてエンコードするエンコーダ２と、撮像部１及び後述する制御部５から入力する映像情報を表示する表示部３と、操作に応じて操作信号を出力する操作部４と、各部を制御するとともに映像情報をデコードする制御部５と、情報を一時的に記憶して制御部５の動作を補助するメモリ６と、ＨＤＤや不揮発性メモリを用いて情報を記憶する記憶部７とを有する。
【００１５】
制御部５は、撮像部１における撮影動作の制御、エンコーダ２によってエンコードされた映像情報の保存、保存された映像情報のサムネイルの生成、映像情報の再生に伴うデコード処理等の動作を実行するための撮像アプリケーション５Ａを図示しないフラッシュメモリ上に有し、動作させる。
【００１６】
記憶部７は、エンコーダ２によってエンコードされた映像情報を格納する映像情報７Ａと、映像情報の格納時に映像情報からそれぞれ代表画像を抽出して生成されたサムネイル情報７Ｂを格納する。
【００１７】
（動作）
以下に、本発明の実施の形態における撮像装置の動作を各図を参照しつつ説明する。
【００１８】
撮像装置１の撮像アプリケーション５Ａは、撮影待機状態において、撮像部１から出力される映像信号を表示部３に表示させる。撮影時は、撮像部１から出力される映像信号をエンコーダ２においてエンコードして映像情報を生成し、映像情報は、記憶部７に格納される。また、撮像アプリケーション５Ａは、保存された映像情報から代表画像を抽出してサムネイルの生成し、記憶部７に格納する。また、再生時は、再生する映像情報をデコード処理して、表示部３に映像信号として出力する。
【００１９】
図３（ａ）〜（ｄ）は、本発明の実施の形態に係る撮像装置の表示部における表示例を示す概略図である。
【００２０】
図３（ａ）に示すように、撮影待機状態において、制御部５の撮像アプリケーション５Ａは、表示画面３０において、撮像部１において撮影中の映像を撮像画面３００として表示する。なお、ここで撮影待機状態とは、撮像装置１００の電源投入状態において、撮影の記録（録画）、再生、及びメニュー設定等を行わず、表示画面３０に撮像部１において撮影された映像をプレビューしている状態のことを言う。
【００２１】
図３（ｂ）に示すように、撮影待機状態から所定の時間ｔ１が経過すると、制御部５の撮像アプリケーション５Ａは、表示画面３０において、撮像画面３００の上に重ねるようにして撮影済一覧３０１を表示する。撮影済一覧３０１は、直前に撮影した映像情報の一覧を表示する部分領域であり、１以上の、例えば、３つのサムネイル３０１ａ〜３０１ｃを表示する。なお、撮影済一覧３０１は、非透明でもよいが、半透明で表示するようにしてもよい。
【００２２】
サムネイル３０１ａ〜３０１ｃは、撮像アプリケーション５Ａによって、記憶部７のサムネイル情報７Ｂから取得されて表示されたものであり、それぞれ映像情報７Ａに格納された映像情報に関連づけられている。なお、サムネイルの数、サムネイルを重ねて表示する位置、及びｔ１の長さについては、利用者による設定操作に基づいて変更することができるようにしてもよい。
【００２３】
図３（ｃ）に示すように、撮影済一覧３０１が表示されてから所定の時間ｔ２が経過すると、表示画面３０は、撮影済一覧３０１の表示を終了して、図３（ｄ）に示すように、再び撮像画面３００のみ表示する。
【００２４】
また、図３（ｅ）に示すように、表示画面３０は、図３（ｂ）に示す状態において、撮影済一覧３０１からサムネイルが選択されると、例えば、サムネイル３０１ａが選択されると、サムネイル３０１ａに関連づけられた映像情報の再生映像３０２を表示する。
【００２５】
図４は、本発明の実施の形態に係る撮像装置の動作例を示すフローチャートである。
【００２６】
まず、撮像アプリケーション５Ａは、撮像装置１００の動作状態を監視して撮影待機状態を検出する（Ｓ１０）。次に、撮影待機状態からｔ１秒経過したことを検出すると（Ｓ１１；Ｙｅｓ）、撮像アプリケーション５Ａは、サムネイル情報７Ｂから直前に撮影されたサムネイル３０１ａ〜３０１ｃを所定の数だけ取得して表示部３の撮影済一覧３０１に表示する（Ｓ１２）。
【００２７】
次に、タッチパネル４Ｂにおいて、表示したサムネイル３０１ａ〜３０１ｃのいずれに対してもタッチ操作がなかった場合（Ｓ１３；Ｎｏ）で、他の入力操作が無い場合（Ｓ１４；Ｎｏ）であって、撮影済一覧の表示から所定の時間ｔ２が経過した場合（Ｓ１５；Ｙｅｓ）、撮像アプリケーション５Ａは、撮影済一覧３０１をサムネイル３０１ａ〜３０１ｃとともに表示終了し（Ｓ１６）、ステップＳ１０の撮影待機状態に戻る。
【００２８】
また、ステップＳ１３において、タッチパネル４Ｂにおいて、サムネイル３０１ａ〜３０１ｃのいずれかにタッチ操作があった場合（Ｓ１３；Ｙｅｓ）、撮像アプリケーション５Ａは、選択されたサムネイルに関連した映像情報を取得し、デコードして再生処理し、再生映像３０２を表示部３に表示する（Ｓ１７）。表示が終了すると、ステップＳ１０の撮影待機状態に戻る。
【００２９】
なお、ステップＳ１７における映像情報の再生の後、必ずしも撮影待機状態に戻らず、再度の再生待機状態、又は再生終了時のまま待機状態となってもよい。
【００３０】
また、ステップＳ１４において、タッチパネル４Ｂの撮影済一覧３０１の領域以外の操作や、操作スイッチ４Ａの操作等の他の入力操作があった場合（Ｓ１４；Ｙｅｓ）、撮像アプリケーション５Ａは、撮影済一覧３０１の表示を終了し（Ｓ１８）、入力操作に基づいた動作を実行する（Ｓ１９）。
【００３１】
（実施の形態の効果）
上記した実施の形態によると、サムネイル３０１ａ〜３０１ｃを表示する撮影済一覧を撮像画面３００に重ねて表示するとともに、サムネイル３０１ａ〜３０１ｃが映像情報７Ａにアクセスするように関連づけられているため、撮影済みの映像情報７Ａを容易に確認できる。また、撮影済みの映像情報７Ａを再生するために必要な操作手順を大幅に減少させることができる。
【００３２】
また、撮影待機状態から時間ｔ１が経過するまでは撮影済一覧３０１を表示しないため、表示画面３０の表示領域を最大限に利用することができる。同様に、撮影済一覧３０１の表示後時間ｔ２が経過するか、他の入力操作があった場合、撮影済一覧３０１の表示を終了するため、表示画面３０の表示領域を最大限に利用することができる。
【００３３】
なお、図４のステップＳ１７において、サムネイルに対応した映像情報を再生する動作に限らず、サムネイルに対応した映像情報を添付したメールの送信や、サムネイルに対応した映像情報を外部の記憶装置へ保存する等の動作を実行するようにしてもよい。また、それらの動作を選択するための画面を表示してもよい。
【００３４】
また、サムネイルの選択操作は、タッチパネル４Ｂにおける入力操作に限らず、操作スイッチ４Ａを用いたものや、他の入力装置を用いたものであってもよい。
【図面の簡単な説明】
【００３５】
【図１】本発明の実施の形態に係る撮像装置の外観を示す概略図である。
【図２】本発明の実施の形態に係る撮像装置の構成を示すブロック図である。
【図３】（ａ）〜（ｄ）は、本発明の実施の形態に係る撮像装置の表示部における表示例を示す概略図である。
【図４】本発明の実施の形態に係る撮像装置の動作例を示すフローチャートである。
【符号の説明】
【００３６】
１…撮像部、２…エンコーダ、３…表示部、４…操作部、４Ａ…操作スイッチ、４Ｂ…タッチパネル、５…制御部、５Ａ…撮像アプリケーション、６…メモリ、７…記憶部、７Ａ…映像情報、７Ｂ…サムネイル情報、３０…表示画面、１００…撮像装置、１００Ａ…本体、１００Ｂ…モニタ部、３００…撮像画面、３０１…撮影済一覧、３０１ａ-３０１ｃ…サムネイル、３０２…再生映像
【図１】
2010028713.tif 000003
【図２】
2010028713.tif 000004
【図３】
2010028713.tif 000005
【図４】
2010028713.tif 000006